(57)【特許請求の範囲】
【請求項１】
予備乾燥用ホッパードライヤーと、この予備乾燥用ホッパードライヤーに接続された予備乾燥装置と、予備乾燥用ホッパードライヤーの粉粒体出口に粉粒体入口が開閉弁を介して接続されたメイン乾燥用ホッパードライヤーと、このメイン乾燥用ホッパードライヤーに接続された、予備乾燥装置と別個・独立のメイン乾燥装置とを有し、前記予備乾燥装置が、予備乾燥装置用の気体循環用送風機と、ヒーターを有する加熱室とを有し、前記予備乾燥装置の各構成装置が予備乾燥用ホッパードライヤーを含む、外気開放口を有する気体循環路を構成しており、前記メイン乾燥装置が、メイン乾燥装置用の気体循環用送風機と、ヒーターを有する加熱室と、除湿機とを有し、前記メイン乾燥装置の各構成装置がメイン乾燥用ホッパードライヤーを含む、外気開放口を有しない気体循環路を構成している粉粒体の乾燥装置。
【発明の詳細な説明】
【０００１】
【発明の属する技術分野】
本発明は合成樹脂原料等の粉粒体を乾燥させる粉粒体の乾燥装置に関する。
【０００２】
【従来の技術】
従来、この種の粉粒体の乾燥装置として以下の如きものは知られている。即ち、ホッパードライヤーと、ホッパードライヤーに接続された乾燥装置とを有し、前記乾燥装置が、気体循環用送風機と、ヒーターを有する加熱室と、集塵機と、除湿機とを有し、前記乾燥装置の各構成装置がホッパードライヤーを含む、外気に開放しない気体循環路を構成したものは知られている。
【０００３】
【従来技術の欠点】
前記従来の粉粒体の乾燥装置には以下の如き欠点があった。即ち、ホッパードライヤーに接続された外気に開放しない乾燥装置によって、粉粒体を最初から設定された低い湿度になるまで一気に乾燥させていたため、乾燥を一定のレベルの時間内に行なうためには、大きな能力を有する除湿機等を使用しなければならならず、その結果、エネルギー面でもコスト面でも問題があった。
【０００４】
【前記欠点を解消するための手段】
本発明は前記欠点を解消するために以下の如き手段を採用した。
請求項１の発明は、予備乾燥用ホッパードライヤーと、この予備乾燥用ホッパードライヤーに接続された予備乾燥装置と、予備乾燥用ホッパードライヤーの粉粒体出口に粉粒体入口が開閉弁を介して接続されたメイン乾燥用ホッパードライヤーと、このメイン乾燥用ホッパードライヤーに接続された、予備乾燥装置と別個・独立のメイン乾燥装置とを有し、前記予備乾燥装置が、予備乾燥装置用の気体循環用送風機と、ヒーターを有する加熱室とを有し、前記予備乾燥装置の各構成装置が予備乾燥用ホッパードライヤーを含む、外気開放口を有する気体循環路を構成しており、前記メイン乾燥装置が、メイン乾燥装置用の気体循環用送風機と、ヒーターを有する加熱室と、除湿機とを有し、前記メイン乾燥装置の各構成装置がメイン乾燥用ホッパードライヤーを含む、外気開放口を有しない気体循環路を構成しているものである。
【０００５】
【発明の作用】
請求項１の発明は以下の如き作用をなすものである。
乾燥開始直後の湿度の高い、即ち、容易にあるレベルまでは乾燥を行なうことが出来る粉粒体を、湿気を含んだ気体の一部を予備乾燥装置から外部に放出すると共に外気を予備乾燥装置に導き入れつつ予備乾燥装置によって予備乾燥した後、外気開放口を有さないメイン乾燥装置によって設定された低い湿度まで粉粒体を乾燥させるものであるから、従来に比較して除湿機等の能力を小さいものにすることが出来、省エネルギー化を実現出来ると共にコスト低減を図ることが出来る。
【０００６】
【発明の実施の形態】
以下に本発明の実施の形態を図面を参照しつつ説明する。
予備乾燥用ホッパードライヤー１は、頂部に粉粒体入口２を有し、下部に開閉弁４によって開閉自在となされた粉粒体出口３を有している。粉粒体入口２は粉粒体貯留槽（図示略）等に接続されている。
また、予備乾燥用ホッパードライヤー１は、胴部に気体入口６を有し、頂部に気体出口７を有している。
前記気体入口６に、下端に気体噴出口９を有する導管１０が接続されている。
【０００７】
気体出口７と気体入口６とを繋ぐようにして予備乾燥装置１３が接続されている。
前記予備乾燥装置１３は、気体出口７に導管１４を介して接続された公知のサイクロン１５と、このサイクロン１５に気体交換器７２及び導管１４を介して接続された、外気取入口１７を有する室１６と、この室１６に導管１４を介して接続された予備乾燥装置１３用の気体循環用送風機１８と、この気体循環用送風機１８に導管１４を介して接続された、ヒーター（図示略）を有する加熱室１９とを有しており、前記加熱室１９が導管１４を介して気体入口６に接続されている。
前記室１６の外気取入口１７は、シャッター（図示略）等によって、開口面積の調節が可能となされている。また、室１６内には室１６の出口を覆うかたちでフィルター（図示略）が収納されている。
前記加熱室１９内にも加熱室１９の出口を覆うかたちでフィルター（図示略）が収納されている。
【０００８】
前記気体交換器７２は、図６に示すごとく、サイクロン１５の出口に接続された導管７３と、この導管７３に上下動自在で且つ所望位置で固定可能となされた調節筒７４と、この調節筒７４の上方に位置して、この調節筒７４との間に外気開放口７５を形成するようにして室１６側の導管１４に接続された下方に向かって開いたテーパー筒７６とを有している。
このような構成によって、サイクロン１５から出た一部の気体を外気に放出し、外気開放口７５より所定量の外気をテーパー筒７６・導管１４に導き入れることが出来る。
【０００９】
メイン乾燥用ホッパードライヤー２１は、頂部に粉粒体入口２２を有し、下部に切り出し装置２４を有する粉粒体出口２３を有している。前記粉粒体入口２２は前記予備乾燥用ホッパードライヤー１の粉粒体出口３に接続されている。粉粒体出口２３は、射出成形機（図示略）等のホッパーに導管を介して接続されている。予備乾燥用ホッパードライヤー１内の粉粒体は、開閉弁４を開くことによってメイン乾燥用ホッパードライヤー２１に導き入れられる。
メイン乾燥用ホッパードライヤー２１は、胴部に気体入口２６を有し、頂部に気体出口２７を有している。
前記気体入口２６に、下端に気体噴出口２９を有する導管３０が接続されている。
【００１０】
気体出口２７と気体入口２６とを繋ぐようにして外気開放口を有しないメイン乾燥装置３３が接続されている。
前記メイン乾燥装置３３は、気体出口２７に導管３４を介して接続された集塵機３５と、この集塵機３５に導管３４を介して接続された、メイン乾燥装置３３用の気体循環用送風機３８と、この気体循環用送風機３８に導管３４を介して接続された、ヒーター（図示略）を有する加熱室３９と、集塵機３５と気体循環用送風機３８とを繋ぐ導管３４に導管３６を介して並列に接続された除湿装置４１とを有している。
【００１１】
前記集塵機３５は、底壁４４以外の壁、例えば側壁に出口４５を有し、底壁４４に少なくとも２つ、具体的には８つの入口開口４６を有する集塵室４７と、前記入口開口４６の縁部に設けられた上方に向かって突出するフィルター保持枠４８と、このフィルター保持枠４８に緩く被せられる底部が開口した可撓性を有する袋状フィルター４９と、この袋状フィルター４９の下周縁を入口開口４６の縁、例えば立上り縁６２に密接固定する固定具５０と、前記底壁４４に少なくとも１つの、具体的には４つの入口開口４６に対向するかたちで設けられた、導入口５２を有する少なくとも２つの、具体的には２つのダストホッパー５３と、各ダストホッパー５３の下端のダスト排出口５４に設けられた開閉弁５５とを有している。
【００１２】
前記導入口５２各々に導管３４が接続され、これら導管３４の上流側が切り換え弁５７の２つの出口各々に接続され、この切り換え弁５７の１つの入口が導管３４を介してメイン乾燥用ホッパードライヤー２１の気体出口２７に繋がれている。前記切り換え弁５７は、一方のダストホッパー５３の導入口５２を閉じた状態で、他方のダストホッパー５３の導入口５２を開くようになされている。そして、切り換え弁５７は所定時間ごとに状態を変えるように作動するようになされている。
前記入口開口４６の縁部との間に間隙５８を形成するようにして所要個の連結片５９を介して立上り筒６０が底壁４４に設けられ、前記立上り筒６０の上端部はすぼまっている。
前記固定具５０は、欠環状のバンド６３と、ボルト・ナットを有する締付・連結具６４とを有している。なお、袋状フィルター４９の下周縁を固定する固定具５０の構造は任意である。
【００１３】
前記フィルター保持枠４８は、細棒を組んで構成したものであるが、金属製・合成樹脂製の多孔板によって構成するようにしてもよい。
前記袋状フィルター４９は布製等任意である。
前記ダストホッパー５３のダスト排出口５４の下方には、上面が開放したダスト箱６６が臨まされている。ダスト箱６６は公知の連結具（図示略）によってダストホッパー５３に連結・分離自在となされている。
【００１４】
前記除湿装置４１は、除湿機６９と、気体循環用送風機７０とを有している。なお、図１のＡとＢとの間の導管３４を無くす場合、気体循環用送風機７０は不要である。
前記加熱室３９内には加熱室３９の出口を覆うかたちでフィルター（図示略）が収納されている。
前記集塵室４７は、袋状フィルター４９の交換等のため、頂壁が取外し自在となされ、この頂壁は公知の連結具（図示略）によって気密状態で側周壁に連結・分離自在となされている。
【００１５】
【発明の実施の形態の作用】
次に発明の実施の形態の作用を説明する。
予備乾燥用ホッパードライヤー１が空になると、開閉弁４が閉じられた後、粉粒体貯留槽（図示略）から予備乾燥用ホッパードライヤー１に所定量の粉粒体が供給される。
その後、予備乾燥が行なわれる。即ち、加熱室１９において加熱された気体が、気体入口６、導管１０を経て、予備乾燥用ホッパードライヤー１内に入り、粉粒体の間を通って上昇し、その間に粉粒体を予備乾燥する。そして、上昇した気体は、気体出口７より出て行く。気体出口７から排出された湿った気体は、サイクロン１５によってダストを除かれた後、加熱室１９において加熱された後、再び、気体入口６より予備乾燥用ホッパードライヤー１内に入って行く。
なお、サイクロン１５から出た湿った気体の一部は外気開放口７５より外部に放出され、他方、湿気の少ない外気が外気開放口７５や外気取入口１７より循環路内に導き入れられる。
メイン乾燥用ホッパードライヤー２１が空になると開閉弁４が開き、予備乾燥された粉粒体が予備乾燥用ホッパードライヤー１からメイン乾燥用ホッパードライヤー２１に供給される。予備乾燥用ホッパードライヤー１が空になると開閉弁４は閉じる。
その後、メイン乾燥が行なわれる。即ち、加熱室３９において加熱された気体が、気体入口２６、導管３０を経て、メイン乾燥用ホッパードライヤー２１内に入り、粉粒体の間を通って上昇し、その間に粉粒体をメイン乾燥する。気体出口２７から排出された湿った気体は、集塵機３５によってダストを除かれた後、除湿機６９によって湿気を除かれ、加熱室３９において加熱された後、再び、気体入口２６よりメイン乾燥用ホッパードライヤー２１内に入って行く。
乾燥が完了すると、粉粒体は切り出し装置２４によって粉粒体出口２３より排出される。
【００１６】
なお、メイン乾燥用ホッパードライヤー２１から所定量の粉粒体が排出されると、その排出された量に相当する予備乾燥された粉粒体を予備乾燥用ホッパードライヤー１からメイン乾燥用ホッパードライヤー２１に供給し、予備乾燥用ホッパードライヤー１から排出された量の粉粒体を予備乾燥用ホッパードライヤー１に粉粒体貯留槽（図示略）から供給するようにしてもよい。
【００１７】
集塵室４７では以下のようにして袋状フィルター４９に付着したダストの振るい落し、ダストホッパー５３からのダストの排出が行なわれる。
切り換え弁５７が切り替わると、今まで気体が流入していた方のダストホッパー５３に気体が流入しなくなり、他方、今まで気体が流入していなかった方のダストホッパー５３に気体が流入する。その結果、気体が流入しなくなったダストホッパー５３に対応する入口開口４６の袋状フィルター４９の内側の圧力が低下して袋状フィルター４９が急激に萎み、その際、袋状フィルター４９の内面に付着したダストが振い落され、他方、気体が流入するようになったダストホッパー５３に対応する入口開口４６の袋状フィルター４９は急激に膨らまされ、その際、袋状フィルター４９の内面に付着したダストが振い落されると共に、そのダストは、袋状フィルター４９によって瞬間的に堰き止められた気体が立上り筒６０の外面と袋状フィルター４９の内面との間に流れ込んで発生する流れに乗って間隙５８を通じてスムーズにダストホッパー５３に排出される。
ダストホッパー５３に所定量のダストが溜ると、開閉弁５５を開いてダスト箱６６にダストを排出する。
【００１８】
【変形例等】
以下に変形例等について説明を加える。
（１）粉粒体には、粉体・粒体・微小薄片・短繊維片等が含まれる。
（２）ダストホッパー５３の個数は２個に限定されるものでなく、３個以上であってもよい。また、実施の形態では、１つのダストホッパー５３に対して４個の入口開口４６が対応しているが、１つのダストホッパー５３に対して１つの入口開口４６があればよい。
（３）除湿機６９は、気体の湿気を取り除くものであれば、どのようなものでもよい。
（４）予備乾燥用ホッパードライヤー１をメイン乾燥用ホッパードライヤー２１から離れた位置に設け、予備乾燥用ホッパードライヤー１の粉粒体出口３を導管を介してメイン乾燥用ホッパードライヤー２１の粉粒体入口２２に接続してもよいことは云うまでもない。
（５）切り換え弁５７を無くし、導入口５２各々に開閉弁を有する導管３４を接続し、これら導管３４の上流側を接続して、メイン乾燥用ホッパードライヤー２１の気体出口２７に繋ぎ、前記開閉弁を、同時には閉じないようにして所定時間間隔で所定の短時間だけ閉じるようにて、ダストを振い落とすようにしてもよい。なお、ダストホッパー５３を３個以上とした場合、切り換え弁５７又は開閉弁を適宜組み合わせてまたは組み合わせること無く使用すればよい。なお、メイン乾燥装置３３の作動中においては、いかなる時も少なくとも１つのダストホッパー５３には気体が供給されているようにすることは云うまでもない。
（６）袋状フィルター４９を保持するフィルター保持枠４８に代えて、袋状フィルター４９の上部を、ばね・ゴム等の伸縮する吊持具や伸縮しない紐等の吊持具で吊持するようにしてもよい。また、袋状フィルター４９を保持しないようにしてもよい。
（７）立上り筒６０は、ない場合もある。
【００１９】
【発明の効果】
本発明は前記した如き構成によって以下の如き効果を奏する。
乾燥開始直後の湿度の高い、即ち、容易にあるレベルまでは乾燥を行なうことが出来る粉粒体を、湿気を含んだ気体の一部を予備乾燥装置から外部に放出すると共に外気を予備乾燥装置に導き入れつつ予備乾燥装置によって予備乾燥した後、外気開放口を有さないメイン乾燥装置によって設定された低い湿度まで粉粒体を乾燥させるものであるから、従来に比較して除湿機等の能力を小さいものにすることが出来、省エネルギー化を実現出来ると共にコスト低減を図ることが出来る。
【図面の簡単な説明】
【図１】本発明の実施の形態を示す系統図である。
【図２】集塵機の一部破砕の拡大図である。
【図３】図２のＩＩＩ−ＩＩＩ線断面図である。
【図４】図３のＩＶ−ＩＶ線拡大断面図である。
【図５】図４のＶ−Ｖ線断面図である。
【図６】図１のＣ部分の拡大断面図である。
【符号の説明】
１  予備乾燥用ホッパードライヤー
２  粉粒体入口
３  粉粒体出口
１３  予備乾燥装置
２１  メイン乾燥用ホッパードライヤー
２２  粉粒体入口
３３  メイン乾燥装置
７５  外気開放口
【図１】
0003625626.tif 000002
【図２】
0003625626.tif 000003
【図３】
0003625626.tif 000004
【図４】
0003625626.tif 000005
【図５】
0003625626.tif 000006
【図６】
0003625626.tif 000007